(57)【要約】【課題】デジタル方式の無線装置またはアナログ方式の無線装置に複数の指令卓を接続した場合、複数の指令卓から送信起動されたときでも無線装置は１つの指令卓を選択して、選択した無線装置からの信号のみが送信されるようにする。【解決手段】本発明は上記課題を解決するために、従来は無線装置に設けていたプレストーン検出部を各回線ＩＦ部に設け、複数の指令卓と接続する場合は指令卓の数に応じて回線ＩＦユニットを増設すると共に、複数の指令卓から同時に選択されることのないように各回線ＩＦユニット内のトーン検出出力の選択論理機能を追加するようにしたものである。【選択図】　　　図１
2004015344.tif 000002
【特許請求の範囲】
【請求項１】
無線装置本体と、該無線装置本体と離れた場所に設置され前記無線装置本体と２つもしくは４つの回線で接続される指令卓とを含み、前記２つもしくは４つの回線を通じて前記無線装置本体の送信制御や状態表示、送受音声信号の伝送を行う無線装置において、
前記指令卓と前記無線装置本体を接続する回線ＩＦ部を備えると共に該前記回線ＩＦ毎に指令卓からの送信起動信号の検出部を備え、１台の前記無線装置に複数実装可能な構造とし、
前記回線ＩＦ部からの検出出力信号のなかで最初に発生したものを選択すると同時に、以後他の前記回線ＩＦ部からの検出出力信号を無効とする選択論理機能を有することを特徴とする無線装置。
【請求項２】
基地局として請求項１記載の無線装置と指令卓を使用し、前記無線装置の通話エリア内に配置された移動局と、前記指令卓との間の通話を行う無線通信システム。
【発明の詳細な説明】
【０００１】
【発明の属する技術分野】
無線装置の遠隔操作方式に関するものである。
【０００２】
【従来の技術】
従来の無線通信システムの構成を図２により説明する。
【０００３】
１〜３は基地局無線装置である。４〜６は指令卓で基地局無線装置１〜３の送信を起動するＰＴＴスイッチや、送信音声入力用マイク、受信音声出力用スピーカ、基地局無線装置１〜３の送信状態や受信状態の表示器等を持つ指令卓である。７は切替装置で、指令卓４〜６の操作により指令卓４〜６と無線装置１〜３の接続を切り替えるものである。８は基地局無線装置１の無線サービスエリアである。９は基地局無線装置２の無線サービスエリアである。１０は基地局無線装置３の無線サービスエリアである。１１〜１５は移動局である。
【０００４】
２０，２１は指令卓４と切替装置７を接続する２つもしくは４つの回線である。通常の動作は回線２０と回線２１の何れか一方が接続されていれば可能であるが、回線障害発生時に正常な側に切り替えて動作可能なように、２ルート化されている。同様に２２，２３は指令卓５と切替装置７を接続する２つもしくは４つの回線、２４，２５は指令卓６と切替装置７を接続する２つもしくは４つの回線である。
【０００５】
２６，２７は無線装置１と切替装置７を接続する２つもしくは４つの回線である。通常の動作は回線２６と回線２７の何れか一方が接続されていれば可能であるが、回線障害発生時に正常な側に切り替えて動作可能なように、２ルート化されている。同様に２８，２９は無線装置２と切替装置７を接続する２つもしくは４つの回線、３０，３１は無線装置３と切替装置を接続する２つもしくは４つの回線である。
【０００６】
指令卓４〜指令卓６は「送信チャネル選択スイッチ」を持ち、マイクから入力した音声を、無線装置１〜無線装置３の何れから送信するかを選択する。
【０００７】
例えば指令卓４から無線装置２のサービスエリア内にいる移動局１３と移動局１４を呼び出す場合、指令卓４の操作者は「送信チャネル選択スイッチ」により無線装置２を指定する。（無線装置ごとに送信チャネルが異なる。）次にＰＴＴスイッチを押して通話をする。これにより指令卓４のマイクから入力した送信音声が、無線装置２から送信され、移動局１３と１４で受信される。
【０００８】
指令卓４〜指令卓６はまた「受信チャネル選択スイッチ」を持ち、無線装置１〜無線装置３の何れの受信音声をスピーカに出力するかを選択する。
【０００９】
例えば無線装置１のサービスエリア８にいる移動局からの音声を受信したい場合、指令卓４の操作者は「受信チャネル選択スイッチ」により無線装置１を指定する。この状態で移動局１１と１２の何れかが発呼すると、無線装置１が受信した音声が指令卓４のスピーカに出力される。
【００１０】
送信チャネルの選択は、無線装置１〜無線装置３が異なる送信周波数を使用している場合や、同じ周波数であってもサービスエリアが重ならない場合は、同時に複数の基地局装置の選択が可能である。
【００１１】
受信チャネルの選択は、同時に複数の無線装置を指定することが可能である。複数の無線装置が同時に受信した場合は、それぞれの無線装置からの音声が重畳されて指令卓のスピーカに出力する。
【００１２】
図３は、図２記載の無線通信システムに使用する無線装置１〜無線装置３の内部ブロック図である。無線装置は回線ＩＦ部５０と無線機部５１により構成される。
【００１３】
本図はデジタル方式の無線機の例で、５２は送受信部、５３は音声コーデック、５４は無線装置全体の制御を行うＣＰＵ、５５は音声コーデック、５６はプレストーン検出部、５７はビジートーン発生部、５８はルートトーン発生部、６３と６４は加算器である。
【００１４】
６６は切替装置７に出力する音声とトーン信号を規定のレベルに変換するためのオーディオアンプ、６７は切替装置７から入力する音声とトーン信号を規定のレベルに変換するためのオーディオアンプ、６８は加算器である。６９は切替装置７と接続する２つもしくは４つの回線の一方のルートを示すもので、ここではルートＡと記す。７０は切替装置７と接続する２つもしくは４つの回線の他方のルートを示すもので、ここではルートＢと記す。
【００１５】
次に従来技術の動作説明を図２と図３を用いて説明する。
例えば、図２において指令卓４の操作者が送信／受信チャネルに無線装置２を選択した場合を説明する。ＰＴＴスイッチを押しながら通話すると、指令卓４からルート２０もしくはルート２１を介して切替装置７に送信音声信号とプレストーンが出力される。
【００１６】
プレストーンは指令卓４〜指令卓６のＰＴＴスイッチを押している間、指令卓４〜指令卓６から切替装置７に対して出力され、その周波数は例えば、３３００Ｈｚを使用する。
【００１７】
プレストーンは切替装置７により無線装置２に対して出力される。
以下、図３を用いて説明する。
【００１８】
通常、切替装置７はルートＡまたはルートＢの何れか一方から無線装置に対して音声とプレストーンを出力する。ルートＡとルートＢの入力側は回線ＩＦ部５０の加算器６８に接続されており、いずれか一方のルートからの信号入力で動作可能である。
【００１９】
入力した信号はリニアコーデック５５によりデジタル信号に変更されプレストーン検出部５６に入力する。プレストーン検出部５６は定められた周波数（例えば３３００Ｈｚ）のプレストーンを検出している間、その出力をオンする。ＣＰＵ５４はプレストーン検出部５６がプレストーンを検出している間、送受信部５２の送信を起動する。
【００２０】
リニアコーデック５５の出力はまた、プレストーンを除去するためＬＰＦ６５を通して、音声コーデック５３に入力する。
【００２１】
指令卓からの送信音声信号は、音声コーデック５３により音声符号化された後、デジタル変調されて送信される。
【００２２】
次に図２記載の移動局１３と移動局１４の何れかが発呼した場合の動作を説明する。
【００２３】
移動局の発呼により送受信部５２からは移動局からの受信音声が出力される。この受信音声信号は移動局側の音声コーデックにより既に符号化されている。この符号化された音声信号は、音声コーデック５３により復号化された後、リニアコーデック５５によりアナログ音声信号に変換される。アンプ６６により規定のレベルに変換された後、切替装置７に対してルートＡとルートＢの両方から出力される。
【００２４】
切替装置７は無線装置２からの受信音声信号を指令卓４に対して出力する。これにより指令卓４のスピーカに移動局１３もしくは移動局１４からの音声信号が出力される。
【００２５】
送受信部５２は移動局から受信中、「ビジー」信号をＣＰＵ５４に対して出力する。ＣＰＵ５４は「ビジー」の間、ビジートーン発生器を起動し、定められた周波数のビジートーンがリニアコーデック５５からの受信音声信号と重畳されて切替装置７に対して出力されその周波数は例えば３２００Ｈｚを使用する。
【００２６】
このビジートーンは切替装置７により指令卓４〜指令卓６のそれぞれに対して出力される。各指令卓はビジートーンの検出機能を持ち、ビジートーン有りの間「受信中」表示を行う。ルートトーン発生器５８は、無線装置の状態に関係なく常時一定周波数のトーン信号、例えば３４００Ｈｚを発生する。
【００２７】
切替装置７はルートトーンが正常に受信できる側のルートを選択する機能を持つ。
【００２８】
以上説明した従来技術は、複数の基地局無線装置と複数の指令卓を有すると共に、指令卓と無線装置は切替装置を介して接続する比較的大規模な無線通信システムの例である。
【００２９】
一方、図４に示す様に切替装置を使用せず、１台の基地局無線装置に２つもしくは４つの回線を介して複数の指令卓を接続し、指令卓から直接、無線機の制御を行う比較的小規模な無線通信システムもある。
【００３０】
この場合、先に説明した図３のデジタル方式の無線装置は切替装置に接続することを前提にしており、１つの回線ＩＦ部しか有していない。従って、このような無線通信システムには対応できない。
【００３１】
これに対応するアナログ方式の無線装置としては、従来は図５に示す無線通信システムがある。
【００３２】
１０１は送受信部、１０２と１０３は回線ＩＦユニット、１０４はプレストーン検出部、１０５はＬＰＦ（ＬＯＷ　ＰＡＳＳ　ＦＩＬＴＥＲ以下、ＬＰＦと称する。）である。１０６〜１０９はトランス、１１０〜１１３はスイッチである。回線ＩＦユニット１０２は１台目の指令卓と４つもしくは２つの回線を介して接続する。本例では４つの回線を介して接続した場合を示す。回線ＩＦユニット１０３は２台目の指令卓と４つもしくは２つの回線を介して接続する。３台以上の指令卓と接続する場合には指令卓１台につき１枚ずつ回線ＩＦユニットを追加する。以後２台の指令卓と接続する場合を説明するが、３台以上の指令卓と接続する場合も同様である。
【００３３】
回線ＩＦユニット１０２に接続した１台目の指令卓でＰＴＴスイッチを押して通話すると、送信音声とプレストーンを重畳した信号がトランス１０６から入力し、プレストーン検出部１０４に入力する。プレストーン検出部１０４の出力がオンの間、送受信部１０１の送信を起動する。
【００３４】
同時にＳＷ１１０の接点を閉じ、指令卓からの音声が、ＬＰＦ１０５によりプレストーン信号が除去された後、送受信部１０１より送信される。この時また、ＳＷ１１２の接点も同じ、ＳＷ１１とＳＷ１１３の接点はＡ側に切り替わる。
【００３５】
ここで、トランス１０６とトランス１０８の出力は短絡されてトーン検出器１０４に入力している。
【００３６】
ここで、１台目の指令卓と２台目の指令卓で同時にＰＴＴスイッチを押すことが考えられる。その場合、両方の指令卓からのプレストーンが重畳されてトーン検出部１０４に入力する。３台以上の指令卓が接続されている場合は、更に多くのトーン信号が重畳される可能性がある。従って、場合によってはトーン検出部１０４で正常なトーン検出が行われないことがある。
【００３７】
また１台目の指令卓でプレストーンを押して送受信部１０１が送信している状態で、２台目の指令卓から音声入力を行うと、その音声も１台目の指令卓からの音声に重畳されて送信される。
【００３８】
この従来技術では、この問題に対する根本対策はないが、無線装置の運用（指令卓の操作者同士の約束）により回避している。
【００３９】
例えば１台目の指令卓が先にＰＴＴスイッチを押して通話を開始すると、その音声がＳＷ１１３により折返され、２台目の指令卓のスピーカからも出力される。２台目の指令卓の操作者はスピーカからの音声出力により、１台目の指令卓が送信中であることを察知し、その通話が終了するまでＰＴＴスイッチを押すのを待つ。またマイクからの音声入力も行わない。
【００４０】
【発明が解決しようとする課題】
以上説明したように従来のデジタル方式の無線装置では複数の指令卓と接続する機能が無いという欠点がある。また、従来のアナログ方式の無線装置では、複数の指令卓を接続した場合に、複数の指令卓から同時に選択されてしまう欠点がある。これらの欠点を除去することが本発明の目的である。
【００４１】
【課題を解決するための手段】
本発明は上記欠点を除去するために、従来は無線装置に設けていたプレストーン検出部を各回線ＩＦ部に設け、複数の指令卓と接続する場合は指令卓の数に応じて回線ＩＦユニットを増設すると共に、複数の指令卓から同時に選択されることのないように各回線ＩＦユニット内のトーン検出出力の選択論理機能を追加するようにしたものである。
【００４２】
【発明の実施の形態】
図１に本発明の一実施例である無線装置の構成を示す。
【００４３】
１０１は送受信部、１０５はＬＰＦである。１０６〜１０９はトランス、１１０〜１１３はスイッチである。１２０と１２１は回線ＩＦユニット、１２２と１２３はプレストーン検出部である。ここで回線ＩＦユニット１２０，１２１は従来の回線ＩＦユニット１０２，１０３に対してプレストーン検出部１２２と１２３を追加したものである。１２４は選択論理回路である。
【００４４】
回線ＩＦユニット１２０は１台目の指令卓と４つもしくは２つの回線を介して接続する。本実施例は４つの回線を介して接続する場合を示す。回線ＩＦユニット１２１は２台目の指令卓と４つの回線もしくは２つの回線を介して接続する。３台以上の指令卓と接続する場合には指令卓１台につき回線ＩＦユニットを１つ増設する。以後２台の指令卓と接続する場合を説明するが、３台以上の指令卓と接続する場合も同様である。
【００４５】
１台目の指令卓でＰＴＴスイッチを押して通話を開始すると、指令卓から送信音声とプレストーンを重畳した信号が、トランス１０６から入力し、プレストーン検出部１２２に入力する。プレストーン検出部１２２の出力がオンの間、選択論理回路１２４は送受信部１０１に対して送信起動信号１２５を発生する。同時にＳＷ１１０をオンして１台目の指令卓からの音声がＬＰＦ１０５を通して送受信部１０１に入力する。これにより１台目の指令卓からの音声が送信される。
【００４６】
論理選択回路１２４はまた、プレストーン検出部１２２の出力がオンの間は、２台目の指令卓でＰＴＴスイッチが押されてプレストーン検出部１２３がオンしても無視し、ＳＷ１１２はオフのままとする。
【００４７】
プレストーン検出部１２２の出力がオフの時に２台目の指令卓でＰＴＴスイッチが押された場合は、プレストーン検出部１２３の出力により、ＳＷ１１２をオンにする。また送受信部１０１に対して送信起動信号１２５を出力する。
【００４８】
すなわち先にプレススイッチを押した指令卓からの送信音声のみを送受信部１０１に対して出力する。
【００４９】
スイッチ１１１とスイッチ１３３は、通常はＢ側の端子に接続されており、送受信部１０１からの受信音声を指令卓に出力する。送信中はＢ側の端子からＡ側の端子に接続が切り替わり、送信音声を折り返して、指令卓のスピーカから出力する。
【００５０】
以上説明した動作により、１台の無線装置に複数の指令卓が接続された場合に、最初にＰＴＴスイッチを押した指令卓のみを選択するものである。
【００５１】
図６は図１と同様に本発明の一実施例である無線装置の構成を示すブロック図で有り、図３に示した従来のデジタル方式の無線機を、複数の指令卓に接続可能なように改良したものである。
【００５２】
図６は１台の無線装置に２台の指令卓を接続する例を示しており、１つの無線機部７３と２つの回線Ｉ／Ｆ部（回線Ｉ／Ｆ部７１と回線Ｉ／Ｆ部７２）を有する。
【００５３】
５２は送受信部、５３は音声コーデック、５４は無線機全体の制御を行うＣＰＵ、５５はリニアコーデック、５６はプレストーン検出部、５７はビジートーン発生部、５８はルートトーン発生部、６３と６４は加算器、６５はリニアコーデック５５の出力からプレストーンを除去するためのＬＰＦである。
【００５４】
６６は指令卓／切替装置に出力する音声とトーンの重畳された信号を規定のレベルに変換するためのオーディオアンプ、６７は指令卓／切替装置から入力する音声とトーンの重畳された信号を規定のレベルに変換するためのオーディオアンプ、６８は加算器である。６９は指令卓／切替装置とを接続する２つもしくは４つの回線の一方のルートを示すもので、ここではルートＡと記す。７０は指令卓／切替装置との間を接続する２つもしくは４つの回線の他方のルートを示すもので、ここではルートＢと記す。
【００５５】
回線Ｉ／Ｆ部７１と回線Ｉ／Ｆ部７２は従来の回線Ｉ／Ｆ部５０（図３に記載）に対して、プレストーン検出部５６、ビジートーン発生部５７、ルートトーン発生部５８を追加したものである。
【００５６】
ここで、プレストーン検出部５６、ビジートーン発生部５７、ルートトーン発生部５８は、例えば１チップのＤＳＰ（Ｄｉｇｉｔａｌ　Ｓｉｇｎａｌ　Ｐｒｏｃｅｓｓｏｒ）により、実現が可能である。
【００５７】
回線Ｉ／Ｆ部７１、回線Ｉ／Ｆ部７２は図２の無線通信システムに使用する場合は切替装置７に接続する。その場合、回線Ｉ／Ｆ部は１つのみでよい。
【００５８】
図４に示すシステムに接続する場合は、１つの回線ＩＦ部に１つの指令卓を接続する。指令卓にルート切替装置がない場合は、ルートＡまたはルートＢの一方を接続する。また、ルートトーン発生部５８は不要である。
【００５９】
以後、指令卓に接続する場合を説明する。
１台目の指令卓でＰＴＴスイッチを押して通話を開始すると、指令卓から送信音声とプレストーンを重畳した信号が、回線Ｉ／Ｆ部７１のプレストーン検出部５６に入力される。プレストーン検出部５６の出力がオンの間、ＣＰＵ５４は送受信部５２に対して送信起動信号７５を発生する。同時にＳＷ７４をＡ側に接続して１台目の指令卓からの音声がリニアコーデック５５のデコード側に入力し、ＬＰＦ６５と音声コーデック５３を通って送受信部５２に入力する。これにより１台目の指令卓からの音声が送信される。
【００６０】
ＣＰＵ５４はまた、プレストーン検出部５６の出力がオンの間は、２台目の指令卓でＰＴＴスイッチが押されてプレストーン検出部７７がオンしても無視し、ＳＷ７４はＡ側のままとする。
【００６１】
プレストーン検出部５６の出力がオフの間に２台目の指令卓でＰＴＴスイッチが押された場合は、プレストーン検出部７７の出力により、ＳＷ７４をＢ側に接続する。また送信起動信号を出力する。
【００６２】
すなわち先にプレススイッチを押した指令卓からの送信音声のみを送受信部１０１に対して出力する。
【００６３】
以上２台の指令卓に接続する場合を説明したが、３台以上の指令卓に接続する場合の動作も同様である。この場合、回線Ｉ／Ｆ部は指令卓１台の追加につき１台づつ追加する。また、スイッチ７４はＡ，Ｂ２状態の場合を説明したが、指令卓が３台であればＡ〜Ｃの３状態、４台であればＡ〜Ｄの４状態の切替が可能なものを使用する。
【００６４】
以上説明した動作により、１台の無線装置に複数の指令卓が接続された場合に、最初にＰＴＴスイッチを押した指令卓のみを選択するものである。
【００６５】
【発明の効果】
本発明によれば、従来は複数の指令卓と接続する機能が無かったデジタル方式の無線装置が、複数の指令卓と接続可能となる。また複数の指令卓を接続した場合に、複数の指令卓から同時に選択されてしまう欠点があったアナログ方式の無線装置に指令卓選択機能を追加することができる。
【図面の簡単な説明】
【図１】本発明の一実施例であるアナログ方式の基地局無線装置の構成を示すブロック図。
【図２】従来の一例であるデジタル方式の無線通信システムの構成図。
【図３】従来の一例であるデジタル方式の基地局無線装置の構成を示すブロック図。
【図４】従来の一例であるアナログ方式の無線通信システムの構成図。
【図５】従来の一例であるアナログ方式の基地局無線装置の構成を示すブロック図。
【図６】本発明の一実施例であるデジタル方式の基地局無線装置の構成を示すブロック図。
【符号の説明】
１〜３：基地局無線装置、４〜６：指令卓、７：切替装置、８：基地局無線装置１の無線サービスエリア、９：基地局無線装置２の無線サービスエリア、１０：基地局無線装置３の無線サービスエリア、１１〜１５：移動局、２０〜２５：各指令卓と切替装置７を接続する２つもしくは４つの回線、２６〜３１：各無線装置と切替装置７を接続する２つもしくは４つの回線、５０：回線Ｉ／Ｆ部、５１：無線機部、５２：送受信部、５３：音声コーデック、５４：無線装置全体の制御を行うＣＰＵ、５５：リニアコーデック、５６：プレストーン検出部、５７：ビジートーン発生部、５８：ルートトーン発生部、６３〜６４：加算器、６５：ＬＰＦ、６６〜６７：オーディオアンプ、６８：加算器、６９〜７０：２つもしくは４つの回線、７１〜７２：回線Ｉ／Ｆ部、７３：無線機本体、７４：スイッチ、７５：送信起動信号、７６：ビジー信号、１００：無線装置、１０１：送受信部、１０２〜１０３：回線ＩＦユニット、１０４：プレストーン検出部、１０５：ＬＰＦ、１０６〜１０９：トランス、１１０〜１１３：スイッチ、１２０〜１２１：回線ＩＦユニット、１２２〜１２３：プレストーン検出部、１２４：選択論理回路。
【図１】
2004015344.tif 000003
【図２】
2004015344.tif 000004
【図３】
2004015344.tif 000005
【図４】
2004015344.tif 000006
【図５】
2004015344.tif 000007
【図６】
2004015344.tif 000008